(57)【要約】【課題】使用性の向上を実現させ、使い勝手の良い縦型電気掃除機を提供する。【解決手段】底面に吸込開口３０を有する吸込口体２７と、集塵部１３と電動送風機１１とを有するとともに前記吸込口体２７の上部に設けられた掃除機本体１０と、一端が前記掃除機本体１０に着脱自在でかつ伸縮自在の延長管１８と、前記延長管１８の他端と前記集塵部１３とを連通するホース１６を具備し、前記延長管１８の他端に、前記掃除機本体１０の持運び及び操作用のハンドル１７を設けたもので、操作用のハンドル１７が掃除機本体１０の運搬用のハンドルと兼ねているので、使用者が、ハンドル１７を持って掃除をする際、ハンドル１７を使い分ける必要が無く使い勝手が向上する。【選択図】図３
2011224186.tif 000002
【特許請求の範囲】
【請求項１】
底面に吸込開口を有する吸込口体と、集塵部と電動送風機とを有するとともに前記吸込口体の上部に設けられた掃除機本体と、一端が前記掃除機本体に着脱自在でかつ伸縮自在の延長管と、前記延長管の他端と前記集塵部とを連通するホースを具備し、前記延長管の他端に、前記掃除機本体の持運び及び操作用のハンドルを設けたことを特徴とする縦型電気掃除機。
【請求項２】
掃除機本体に延長管を収納した時、ハンドルが前記掃除機本体の上方に位置するようにした請求項１に記載の縦型電気掃除機。
【請求項３】
ハンドルを、床面に対して略水平に設けた請求項１又は２に記載の縦型電気掃除機。
【請求項４】
ハンドルとホースとが接続されるホース接続部を、床面に対して略水平に設けた請求項１〜３のいずれか１項に記載の縦型電気掃除機。
【請求項５】
ハンドルとホースとが接続されるホース接続部を、掃除機本体を前方側から見て、掃除機本体に隠れる位置に配設した請求項１〜４のいずれか１項に記載の縦型電気掃除機。
【発明の詳細な説明】
【技術分野】
【０００１】
本発明は、縦型電気掃除機に関するもので、特に、掃除機本体の持運び用のハンドルと、操作用のハンドルを具備した縦型電気掃除機に関するものである。
【背景技術】
【０００２】
従来のこの種の縦型電気掃除機は、特許文献１に記載されているようなものが一般的であった。この従来の縦型電気掃除機を図７を用いて説明する。図７は、従来の縦型電気掃除機の全体構成を示す斜視図で、従来の縦型電気掃除機の掃除機本体１の下方には、電動送風機（図示せず）が内蔵され、前面中央には集塵部２を備え、さらに上端には、掃除機本体１の運搬用ハンドル３が突設されている。
【０００３】
また、掃除機本体１の下方には、この掃除機本体１と着脱自在に連結された床用吸込具４が接続されている。掃除機本体１の前部上方に、着脱可能に立設された延長管５を具備している。延長管５の上端には、操作用ハンドル６を備えており、前記操作用ハンドル６には、集塵部２へと連通するホース７が接続されている構成が一般的であった。
【先行技術文献】
【特許文献】
【０００４】
【特許文献１】特開２００８−４３７８８号公報
【発明の概要】
【発明が解決しようとする課題】
【０００５】
しかしながら、上記特許文献１に記載されたような従来の縦型電気掃除機の構成では、操作用ハンドル６と運搬用ハンドル３がそれぞれある為、ハンドルを構成する部品点数も多くなり掃除機本体１の構成が複雑化していた。また、使用者が、ハンドルを持って使用する際、ハンドルが複数個あれば、二つの別のハンドルを使い分ける必要があり、面倒であった。
【０００６】
本発明は、上記従来の課題を解決するものであって、延長管の上端の操作用ハンドルが、掃除機本体の運搬用ハンドルの機能とを兼ね備え、使い勝手の良い縦型電気掃除機を提供することを目的とする。
【課題を解決するための手段】
【０００７】
上記従来の課題を解決するために、本発明の縦型電気掃除機は、底面に吸込開口を有する吸込口体と、集塵部と電動送風機とを有するとともに前記吸込口体の上部に設けられた掃除機本体と、一端が前記掃除機本体に着脱自在でかつ伸縮自在の延長管と、前記延長管の他端と前記集塵部とを連通するホースを具備し、前記延長管の他端に、前記掃除機本体の持運び及び操作用のハンドルを設けたもので、操作用のハンドルが掃除機本体運搬用のハンドルと兼ねているので、使用者が、ハンドルを持って掃除をする際、ハンドルを使い分けることなく使い勝手が向上する。また、掃除機本体の運搬可能なハンドルの構成部品が削減され、掃除機本体のコンパクト化が廉価に構成することが可能となる。
【発明の効果】
【０００８】
本発明の縦型電気掃除機は、掃除機本体に着脱自在で、伸縮自在の延長管に設けた操作用のハンドルが、掃除機本体運搬用のハンドルと兼ねているので、廉価な構成で、使い勝手の良いものである。
【図面の簡単な説明】
【０００９】
【図１】本発明の実施の形態１における縦型電気掃除機の全体斜視図
【図２】同縦型電気掃除機のハンドルが伸縮された時の全体斜視図
【図３】同縦型電気掃除機の断面図
【図４】同縦型電気掃除機のハンドルが伸縮された時の断面図
【図５】同縦型電気掃除機の延長管を外した状態の斜視図
【図６】同縦型電気掃除機の正面から見た正面図
【図７】従来の縦型電気掃除機の全体構成を示す斜視図
【発明を実施するための形態】
【００１０】
第１の発明は、底面に吸込開口を有する吸込口体と、集塵部と電動送風機とを有するとともに前記吸込口体の上部に設けられた掃除機本体と、一端が前記掃除機本体に着脱自在でかつ伸縮自在の延長管と、前記延長管の他端と前記集塵部とを連通するホースを具備し、前記延長管の他端に、前記掃除機本体の持運び及び操作用のハンドルを設けたもので、操作用のハンドルが掃除機本体運搬用のハンドルと兼ねているので、使用者が、ハンドルを持って掃除をする際、ハンドルを使い分けることなく使い勝手が向上する。また、掃除機本体の運搬可能なハンドルの構成部品が削減され、掃除機本体のコンパクト化が廉価に構成することが可能となる。
【００１１】
第２の発明は、特に、第１の発明の掃除機本体に延長管を収納した時、ハンドルが前記掃除機本体の上方に位置するようにしたもので、掃除機本体を運搬するときに、重心バランスがよく、ハンドルに無理な力がかかりにくくなり、ハンドルが捻られて変形することなどを防ぐことができる。
【００１２】
第３の発明は、特に、第１又は第２の発明のハンドルを、床面に対して略水平に設けたもので、掃除の際に、使用者が掃除機本体を持ち運んだり、掃除機本体を操作する際、自然な姿勢のまま、掃除機本体を支えながら、ハンドルを手で保持することができ、手首に負担がかからず使い勝手が向上する。
【００１３】
第４の発明は、特に、第１〜３のいずれか一つの発明のハンドルとホースとが接続されるホース接続部を、床面に対して略水平に設けたもので、ホースに無理な力がかかりにくくなり、ホースが捻られて変形することなどを防ぎ、耐久性が向上する。
【００１４】
第５の発明は、特に、第１〜４のいずれか一つの発明のハンドルとホースとが接続されるホース接続部を、掃除機本体を前方側から見て、掃除機本体に隠れる位置に配設したもので、正面から掃除機本体を見た際のコンパクト性を実現させ、掃除機本体の外観美を向上させることができる。
【００１５】
以下、本発明の実施の形態について、図面を参照しながら説明する。なお、この実施の形態によって本発明が限定されるものではない。
【００１６】
（実施の形態１）
本発明の第１の実施の形態における縦型電気掃除機について、図１〜図６を用いて説明する。図１は、本実施の形態における縦型電気掃除機の全体斜視図、図２は、同縦型電気掃除機のハンドルが伸縮された時の全体斜視図、図３は、同縦型電気掃除機の断面図、図４は、同縦型電気掃除機のハンドルが伸縮された時の断面図、図５は、同縦型電気掃除機の延長管を外した状態の斜視図、図６は、同縦型電気掃除機の正面から見た正面図である。
【００１７】
図１〜図６において、本実施の形態における縦型電気掃除機の掃除機本体１０の下方に
は、電動送風機１１を内蔵する電動送風機室１２、中央には、集塵部１３をそれぞれ備え、この集塵部１３の上側には、電源供給用のコード１４が収容されるコードリール収容部１５が備えられている。
【００１８】
掃除機本体１０の後部側にはホース１６の一端が接続され、そのホース１６の他端は、掃除機本体１０の持ち運び及び操作用のハンドル１７を具備した延長管１８に接続されている。また、ホース１６の一端は、掃除機本体１０の集塵室１３に連通している。延長管１８は、隙間ノズル１９を内部に収納すると共に取付凹部２０を有している。そして、延長管１８を掃除機本体１０に設けた接続開口２１に差し込んだ時、延長管１８の取付凹部２０は、掃除機本体１０に形成された摺動自在の尾錠２２の係合突出部２３に係合され、延長管１８は、掃除機本体１０に固定される。
【００１９】
また、掃除機本体１０に形成された摺動自在の尾錠２２を引くことにより、係合突出部２３は、延長管１８の取付凹部２０から解除され、掃除機本体１０から延長管１８を取り出すことができる。そして、掃除機本体１０から延長管１８を取り出すことにより、図５に示すように、延長管１８の先より、塵埃を吸引できる構成となっている。
【００２０】
また、図２、図４で示すように、延長管１８の摺動連結体２４に、弾性体であるバネ２５によって支持されて設けられた伸縮動作ボタン２６を押すと、延長管１８は、矢印方向に摺動移動が可能となり、その伸縮動作ボタン２６の押圧を解除すると、延長管１８はその位置でロックされる構成になっている。
【００２１】
図３において、掃除機本体１０の下方に上下に首振り可能に取り付けられた吸込口体２７は、掃除機本体１０の下方に設けられた接続口２８と着脱自在である。また接続口２８の上端は、吸引パイプ２９を介して集塵部１３と連通されており、下方の他端は、吸込口体２７の吸込開口３０と連通されている。
【００２２】
吸引された塵埃が通る吸引通路として、吸込口体２７の吸込開口３０から吸引された塵埃が吸引パイプ２９を通る床側吸込み流路３１があり、もう一方は、延長管１８を介してホース２４を連通し集塵部１３へと連通する吸引通路３２が形成されている。延長管１８に形成された操作用のハンドル１７は、掃除機本体１０の運搬用のハンドル１７と兼ねている。
【００２３】
本実施の形態における縦型電気掃除機は以上のように構成されているので、使用者が、ハンドル１７を持って掃除をする際、掃除機本体１０に形成されたハンドル１７は一つとなり、ハンドル１７を一々使い分けることなく使い勝手が向上する。また、掃除機本体１０に余計なハンドル１７を構成する必要が無いので、部品が削減され、掃除機本体１０を複雑化することもなくなり、安価にすることが可能となる。
【００２４】
また、図１〜図４に示すように、延長管１８に形成された、掃除機本体１０持運び用でかつ操作用のハンドル１７は、掃除機本体１０の上方に配置されているので、使用者が、ハンドル１７を持って掃除機本体１０を運搬するときに、重心バランスがよく、使用者の手首及び、ハンドル１７に無理な力がかかりにくくなり、使い勝手が向上する。また、ハンドル１７に無理な力がかかりにくくなることより、ハンドル１７が捻られて変形することなども抑えられる。
また、図１〜図４に示すように、延長管１８に形成されたハンドル１７は、床面に対して略水平に設けられている。その結果、掃除の際に使用者が、掃除機本体１０を持ち運んだり、掃除機本体１０を操作する際、手首に鋭角もしくは、鈍角になるような角度がなくなり、自然な姿勢のまま、ハンドル１７を手で保持することが可能となり、手首に負担がかかからず使い勝手が向上する
また、図１〜図４に示すように、延長管１８に形成されたハンドル１７の下部に、延長管１８と連通するホース１６が接続されており、ハンドル１７とホース１６とが接続されるホース接続部３３は、床面に対して略水平に設けられている。上記構成により、ホース１６は、鋭角もしくは、鈍角になるような角度がなく無理な力がかかりにくくなり、ホース１６が捻られて変形することなどを防ぎ、耐久性を向上させることが可能となる。
【００２５】
また、本実施の形態では、図３、図６に示すように、ハンドル１７とホース１６とが接続されるホース接続部３３は、掃除機本体１０を前方側から見て、掃除機本体１０に隠れる位置に配設されているので、掃除機本体１０を正面から見た際、ホース１６が掃除機本体１０に隠れコンパクト化が可能となり、また、ホース１６が隠れることより外観美が損なわれることがなくなる。
【産業上の利用可能性】
【００２６】
以上のように、本発明に係る縦型電気掃除機は、延長管に、掃除機本体持運び用で、かつ操作用のハンドルを設けたので、使い勝手及び、使用性の向上が図れるもので、家庭用業務用の各種縦型電気掃除機に適用できるものである。
【符号の説明】
【００２７】
１０  掃除機本体
１１  電動送風機
１３  集塵部
１６  ホース
１７  ハンドル
１８  延長管
２７  吸込口体
３０  吸込開口
３３  ホース接続部
【図１】
2011224186.tif 000003
【図２】
2011224186.tif 000004
【図３】
2011224186.tif 000005
【図４】
2011224186.tif 000006
【図５】
2011224186.tif 000007
【図６】
2011224186.tif 000008
【図７】
2011224186.tif 000009